(57)【要約】【課題】  パッティングやアプローチショット等のショートスイングの正しいフォームを習得でき、また、コンパクトで装着時には目立ち難く、さらに、使用時におけるスイング以外の動作を阻害しないゴルフ練習器具を提供することである。【解決手段】  一方の腕に巻着可能な腕帯部２と、他方の腕を保持及び離脱可能に弧状に形成された腕受け部３と、腕帯部２に一方の端部が接続され、腕受け部３に他方の端部が接続され腕帯部２と腕受け部３の距離を一定に保持する軸部４とを有するものである。【選択図】  図１
0003125937.tif 000002
【実用新案登録請求の範囲】
【請求項１】
一方の腕に巻着可能な腕帯部と、他方の腕を保持及び離脱可能に弧状に形成された腕受け部と、前記腕帯部に一方の端部が接続され、前記腕受け部に他方の端部が接続され前記腕帯部と前記腕受け部の距離を一定に保持する軸部とを有することを特徴とするゴルフ練習器具。
【請求項２】
前記軸部は、前記腕帯部と前記腕受け部の距離を変更して保持する長さ調整部を備えることを特徴とする請求項１記載のゴルフ練習器具。
【請求項３】
前記腕帯部と前記軸部が形成する角度を調整する第１の角度調整部と、前記腕受け部と前記軸部が形成する角度を調整する第２の角度調整部とを備えることを特徴とする請求項１又は請求項２に記載のゴルフ練習器具。
【請求項４】
前記腕受け部は、この腕受け部を持着可能な支持部材と、この支持部材と前記腕受け部に介設される弾性部とを介して前記軸部に接続されることを特徴とする請求項１乃至請求項３のいずれか１項に記載のゴルフ練習器具。
【考案の詳細な説明】
【技術分野】
【０００１】
本考案は、ゴルフスイングの反復練習を行うゴルフ練習器具に関し、特に、パッティングやアプローチショット等のショートスイングのためのゴルフ練習器具に関する。
【背景技術】
【０００２】
一般に、ゴルフでは、正しいスイングのフォームを習得することが基本であり、上達への近道である。しかしながら、正しいフォームを完全に習得することは簡単なことではなく、多くの人は教本を読んだりビデオを視聴したりして練習を重ねている。また、様々な種類の練習器具が考えられており、装着して練習することによりフォームを矯正したり習得したりできるものがある。
【０００３】
例えば、特許文献１には、「ゴルフスイング練習器具」という名称で、スイング時のフォームを正確且つ容易に確認できるゴルフスイング練習器具に関する考案が開示されている。
この特許文献１に開示された考案は、棒状のパイプと、このパイプに設置され両肘に装着可能な一対の固定部材と、パイプに内部に収納され端部への衝突により打撃音を発生する錘と、パイプの両端部に各々設置されるライトとから構成されている。
そして、使用者が一対の固定部材を両肘にそれぞれ装着すると、使用者の両腕の前面側にはパイプが接し、右腕及び左腕は一対の固定部材によって動かないように固定される。この状態でゴルフクラブを持ってスイングすると、脇があくことなく正しいフォームを維持することができる。また、パイプの端部に設置されるライトからの光線が使用者の正面側の窓ガラス等のスクリーンにスポットとして写るので、このスポットの位置を目標位置と比較することによりフォームを確認することができる。さらに、いずれかの肩が傾くと、パイプが水平位置から傾き、パイプ内の錘が摺動してパイプの端部に衝突し打撃音が発生するので、使用者は音を聴くことによって肩の傾きを感知することができる。
【０００４】
また、特許文献２には、「ゴルフスイング練習具」という名称で、スイングを矯正しながらスイングに必要な筋力を強化することができるゴルフスイング練習具に関する考案が開示されている。
この特許文献２に開示された考案は、ループ状の伸縮体と、この伸縮体の中央部分を被覆して形成される背当パッドと、伸縮体の両端部を各々被覆して形成される一対の腕当パッドとから構成されている。
そして、背当パッドと一対の腕当パッドの間に形成される一対の孔に両腕をそれぞれ通して背中に背当パッドを当てて装着し、ゴルフクラブを持って素振りを行うと、セットアップの状態やバックスイング過程等において、腕に負荷がかかるようになっているので、負荷を抱えて反復練習することで、スイングに必要な筋力を鍛えて強化するとともにスイングの矯正を行うことができる。
【特許文献１】実開平６−１９７６８号公報
【特許文献２】実公平６−５８２０号公報
【考案の開示】
【考案が解決しようとする課題】
【０００５】
しかしながら、上述の従来技術である特許文献１に開示された考案は、両腕を固定することによりスイング時の両腕の位置を矯正するものであるが、主に飛距離を出すためのフルスイングを前提としており、パッティングやアプローチショット等のショートスイングには適していないという課題があった。また、両腕が常時固定されるので、スイング以外の動作を行うことが困難であるという課題もあった。さらに、この練習器具は比較的大きく装着すると目立ち、また音が発生するので、練習場等の人の多い場所では使い難いという課題もあった。
【０００６】
また、特許文献２に開示された考案においても、特許文献１と同様に、フルスイング時の筋力の強化やフォームの矯正を行うものであり、ショートスイングには適切でないという課題があった。また、正しいフォームの目標位置が示されていないので、使用者は誤ったフォームを習得してしまうという懸念があった。
【０００７】
本考案はかかる従来の事情に対処してなされたものであり、パッティングやアプローチショット等のショートスイングの正しいフォームを習得でき、また、コンパクトで装着時には目立ち難く、さらに、使用時におけるスイング以外の動作を阻害しないゴルフ練習器具を提供することを目的とする。
【課題を解決するための手段】
【０００８】
上記目的を達成するため、請求項１記載の考案であるゴルフ練習器具は、一方の腕に巻着可能な腕帯部と、他方の腕を保持及び離脱可能に弧状に形成された腕受け部と、腕帯部に一方の端部が接続され、腕受け部に他方の端部が接続され腕帯部と腕受け部の距離を一定に保持する軸部とを有するものである。
このような構成のゴルフ練習器具によれば、腕帯部を一方の腕に巻着して、両手でゴルフクラブを把持し、他方の腕を腕受け部に添えるように保持させると、腕帯部と腕受け部に接続される軸部は両腕が一定の距離を保持するように作用する。また、腕受け部は弧状形状によって使用者の他方の腕を保持したり離脱したりするように作用する。
【０００９】
また、請求項２記載の考案は、請求項１記載のゴルフ練習器具において、軸部は、腕帯部と腕受け部の距離を変更して保持する長さ調整部を備えるものである。
このような構成のゴルフ練習器具においては、請求項１に記載の考案の作用に加えて、長さ調整部は軸部の長さを自在に変更して腕帯部と腕受け部の距離を保持するように作用する。
【００１０】
そして、請求項３記載の考案は、請求項１又は請求項２に記載のゴルフ練習器具において、腕帯部と軸部が形成する角度を調整する第１の角度調整部と、腕受け部と軸部が形成する角度を調整する第２の角度調整部とを備えるものである。
このような構成のゴルフ練習器具においては、請求項１又は請求項２に記載の考案の作用に加えて、第１の角度調整部は、腕帯部と軸部が形成する角度を自在に変更するという作用を有し、第２の角度調整部は、腕受け部と軸部が形成する角度を自在に変更するという作用を有する。
【００１１】
最後に、請求項４記載の考案は、請求項１乃至請求項３のいずれか１項に記載のゴルフ練習器具において、腕受け部は、この腕受け部を持着可能な支持部材と、この支持部材と腕受け部に介設される弾性部とを介して軸部に接続されるものである。
このような構成のゴルフ練習器具においては、請求項１乃至請求項３のいずれか１項に記載の考案の作用に加えて、支持部材は腕受け部を持着するように作用し、弾性部は腕受け部からの外力に対して付勢するように作用する。
【考案の効果】
【００１２】
以上説明したように、本考案の請求項１に記載のゴルフ練習器具においては、ゴルフクラブを握った両腕の距離を一定に保持するとともに、グリップと両腕で形成される内角を保持するので、パッティングやアプローチショット等のショートスイングにおいて、一定したストロークでボールを打つことができ、反復練習することによって正しいフォームを習得することが可能である。
また、他方の腕は腕受け部から容易に離脱することができ、両腕が常時固定されないので、ゴルフボールのセット等のスイング練習以外の動作を自由に行うことが可能である。
【００１３】
また、本考案の請求項２に記載のゴルフ練習器具においては、使用者の体型に合わせて軸部を最適な長さに設定することができるので、大人から子供まで広く使用することができる。また、最適な長さ設定により、誤ったフォームの習得を回避することができる。
【００１４】
そして、本考案の請求項３に記載のゴルフ練習器具においては、第１の角度調整部及び第２の角度調整部によって、軸部に対して腕帯部と腕受け部が傾動できるので、使用者の両腕が平行でない場合でも使用者の一方の腕に腕帯部が斜めに装着されることを防止し、また、他方の腕に腕受け部が斜めに接することを防止して腕と腕帯部や腕受け部がフィットし、優れた装着感を得ることができる。
【００１５】
最後に、本考案の請求項４に記載のゴルフ練習器具によれば、腕受け部に他方の腕を保持する際に、他方の腕が腕受け部に加える力によって弾性部が付勢し、他方の腕を腕受け部からわずかに離脱させると、弾性部の付勢力によって腕受け部が他方の腕側に移動するので、使用者は腕受け部の他方の腕に対するより優れた装着感を得ることができる。
【考案を実施するための最良の形態】
【００１６】
以下に、本考案の最良の実施の形態に係るゴルフ練習器具を図１乃至図６を参照しながら説明する。
図１は、本考案の本実施の形態に係るゴルフ練習器具の概念図である。
図１において、ゴルフ練習器具１は、ゴルフスイングにおいて、主に、パッティングやアプローチショット等のショートスイングを行う際の正しいフォームを習得するための練習器具であり、主に、アームバンド２と、腕受け３と、アームバンド２と腕受け３を連結する軸部４から構成され、ゴルフクラブを両手で握った状態で右腕と左腕に装着して使用するものである。
アームバンド２は、使用者の打ち出し方向側の腕、すなわち、通常は利き腕でない方の腕に巻着されて固定される。このように巻着されることによってゴルフ練習器具１の腕からの落下を防止することができる。一方、腕受け３は、使用者の打ち出し方向とは逆側の腕、すなわち、通常は利き腕を離脱可能に保持するものであり、弧状に形成された凹部に利き腕を添えるように接触させて使用する。
また、軸部４は、アームバンド２に接続される第１のシャフト５と、腕受け３に接続される第２のシャフト６を備えており、アームバンド２と腕受け３の距離を一定に保持する役割を担っている。すなわち、アームバンド２が巻着される利き腕でない方の腕と、腕受け３に保持される利き腕の距離を一定に保持することができる。したがって、ゴルフ練習器具１を装着すると、ゴルフクラブを握る両腕の距離が決定されるので、この両腕の距離を変えないようにしてパッティング等を繰り返し練習することによって正しいフォームを習得することができる。
【００１７】
そして、軸部４には、軸部４の長さを調節する長さ調整部７が設置されている。この長さ調整部７では、第１のシャフトの端部５ａに第２のシャフト６の外径よりも大きく、第２のシャフト６を内挿してスライド可能な溝８が形成されており、この溝８に第２のシャフトの端部６ａを挿入して、溝８内で第２のシャフトの端部６ａをスライドさせることによって軸部４の長さを調節するようになっている。なお、長さ調整部７には軸部４を所望の長さに調整した際に、第２のシャフト６の移動を抑止するストッパを設けると、軸部４の長さを容易に固定することが可能である。ストッパの種類や構造は特に限定するものではない。また、例えば第２のシャフト６の外周に雄ネジを、第１のシャフト５ａの端部に形成された溝８の内周に雌ネジをそれぞれ螺刻し、これらを螺合させて互いの回動によって長さを調整することによれば、ストッパを設けることなくこれらのネジの摩擦力で第２のシャフト６の移動を抑止することも可能である。
さらに、軸部４には、第１の角度調整用ビス９及び第２の角度調整用ビス１０が設置されている。第１の角度調整用ビス９は、第１のシャフト５のアームバンド２側の端部に設けられ、第１の角度調整用ビス９を支点としてアームバンド２を垂直方向に傾動自在とし、アームバンド２と第１のシャフト５が形成する垂直方向の角度を自在に変更して固定することができる。ここで、第１の角度調整用ビス９を支点とするアームバンド２の垂直方向とは、図１に示される状態において、アームバンド２の紙面に対する垂直方向を意味している。従って、傾動は紙面手前側と紙面向こう側の両方に可能である。
一方、第２の角度調整用ビス１０は、第２のシャフト６の腕受け３側の端部に設けられ、第２の角度調整用ビス１０を支点として腕受け３を垂直方向に傾動自在とし、腕受け３と第２のシャフト６が形成する垂直方向の角度を自在に変更して固定することができる。この第２の角度調整用ビス１０を支点とする腕受け３の垂直方向も第１の角度調整用ビス９と同様である。
このように第１の角度調整用ビス９及び第２の角度調整用ビス１０によって上述の各々の角度を変更可能にすることによって、詳細については後述するが、アームバンド２及び腕受け３は装着又は保持される腕に対して直角に配置させることが可能となる。
なお、第１の角度調整用ビス９及び第２の角度調整用ビス１０は、ビスに限定されるものではなく、上述の角度を変更して固定できるものであれば、蝶ねじやボルトとナットなどでもよい。
【００１８】
ここで、ゴルフ練習器具の使用方法について図２を参照しながら説明する。
図２は、本実施の形態に係るゴルフ練習器具を使用者の腕に装着した場合の概念図である。なお、図２において、図１に記載されたものと同一部分については同一符号を付し、その構成についての説明は省略する。
図２において、まず、装着方法から説明すると、使用者１３は右利きであるので、一般には打ち出し方向１６側の利き腕でない方の左腕１４においてアームバンド２を手首から挿入して肘から手首までの任意の位置に巻着する。そして、腕受け３に利き腕である右腕１５を添えるようにしながらパター１７を両手で握って軽く両肘を曲げてパッティングのフォームを形成する。そうすると、ゴルフ練習器具１の軸部４によってアームバンド２が巻着された左腕１４と腕受け３によって保持されている右腕１５は一定の距離を保持し、両腕とグリップによって形成される内角θが決定する。この内角θを保持し、手首や指先の余分な動きを抑えて、右肩２１、右肘１８、グリップの中心１９、左肘２０及び左肩２２を結んで形成される五角形２３を崩さないように背骨を軸にして両手、両腕及び両肩を使ってストロークすると、安定したパッティングを行うことができ、このようなパッティングを反復練習することによって正しいフォームの体得が可能となる。
また、ゴルフ練習器具１では、右腕１５は腕受け３に離脱可能に保持されているので、腕受け３から容易に離脱でき、例えば、ゴルフボールを拾ったり、配置したりするパッティング以外の動作を行い易い。そして、ゴルフ練習器具１はコンパクトな形状であるので、装着しても目立たず、練習場等においても人目を気にすることなく、練習を行うことができる。
【００１９】
そして、図２において、パッティングの姿勢では、使用者１３の肘から手首において右腕１５と左腕１４は平行でないので、ゴルフ練習器具１が軸部４を挟んで、アームバンド２と腕受け３が湾曲することなく一直線の状態では、アームバンド２は左腕１４に斜めに装着され、また、腕受け３は右腕１５に斜めに接触することになり、装着面や保持面の維持が困難である。
そこで、軸部４に設置される第１の角度調整用ビス９及び第２の角度調整用ビス１０を用いて、予め、アームバンド２及び腕受け３が各々左腕１４及び右腕１５に対して直角に配置され、また、軸部４が水平、又は、右肘１８と左肘２０を結ぶ直線２４又は右肩２１と左肩２２を結ぶ直線２５と平行になるように、アームバンド２及び腕受け３を垂直方向に傾動させて固定し、アームバンド２と第１のシャフト５が形成する角度α及び腕受け３と第２のシャフト６が形成する角度βを変更して決定しておくとよい。ここで、符号１１及び符号１２は各々支持部材であり、支持部材１１は第１のシャフト５に接続されてアームバンド２を支持するものであり、支持部材１２は第２のシャフト６に接続されて腕受け３を支持するものである。
また、軸部４の長さについても、予め、使用者１３の体型に合わせて長さ調整部７において調整しておくとよい。
なお、図２においては、ゴルフ練習器具１を肘から手首まで腕に装着する例を示したが、ゴルフ練習器具１は、肘から手首までの腕だけでなく、肩から肘までのいわゆる二の腕に装着することも可能である。さらに、ゴルフ練習器具１はパッティングのフォームの矯正だけでなく、アプローチショット等のショートスイングにおいても有効である。この場合には、肘から手首まで腕に装着するものよりも、軸部４の長さを長めに設けておく必要がある。
【００２０】
次に、アームバンドについて図３を参照しながら説明する。
図３（ａ）は、本実施の形態に係るゴルフ練習器具のアームバンドの外形図であり、（ｂ）は同じくゴルフ練習器具のアームベルトの外形図である。
図３（ａ）において、アームバンド２は伸縮性の布地を用いて作製された筒状体であり、装着時には自在に伸縮し、使用者の腕において任意の位置で固定される。
また、図３（ｂ）に示すように、ゴルフ練習器具においては環状のアームバンド２に代えて、切れ目を有する帯状体とし、これを留めることができるように符号Ａで示すような面状ファスナーを備えるアームバンド２ａとしてもよい。この面状ファスナーＡは、切れ目の互いに接触する部分にそれぞれ備えられており、接触させることで大きな摩擦力を発生させて任意の巻き状態で留めることが可能である。従って、使用者の腕の太さによってアームバンド２ａの巻き径を調整することが可能である。また、腕の太さは一般に手首側から肘側にかけて太くなっているため、アームバンド２ａの巻き径を変化させて円錐状に巻く必要があるが、このような面状ファスナーＡを備える場合は容易に対応可能であるため、巻き易く、しかも装着後の使用感も優れている。
図３（ｂ）には、最も簡単な構造のものを示したが、バックルや金具を組み合わせてアームバンド２ａの切れ目の一方の端部を自由な方の片手で引っ張りつつ、バックルや金具で折り返しながらアームバンド２ａの巻き径を調整可能として留めるように構成してもよい。アームバンドは腕に装着するものであるため、片手で簡単に留めることができなければならず、そのためバックルや金具で容易に巻き径を調整しながら留めることができるものは重宝されるのである。
さらに、図３（ｃ）に示すように、ゴルフ練習器具においてはアームバンド２に代わって、アームベルト２６を用いることもできる。アームベルト２６は帯状体の布地を腕に巻いてバックル２７を嵌合し、使用者の腕に巻着される。バックル２７はオスバックル２８とメスバックル３０を備え、図示するように、オスバックル２８はアームベルト２６の一方の端部に固定用布地２９を用いて固定され、また、メスバックル３０はアームベルト２６の他方の端部に固定用布地３１を用いて固定されている。このアームベルト２６の場合は、（ｂ）示す面状ファスナーよりも多少構造が複雑であるが、面状ファスナーに比較して留める力が強い。
なお、帯状体を輪に形成して連結する手段は、バックル２７以外にもボタンなど帯状体の両端部を連結可能なものであれば特に限定されるものではない。また、これらの材質は、軸部からの負荷がスイングなどの動作時に大きくかかるため、厚めの布地か人工皮革等十分な強度を備えるものである必要がある。
【００２１】
続いて、腕受けの周辺部の変形例について図４を参照しながら説明する。（特に、請求項４に対応）
図４は、本実施の形態に係るゴルフ練習器具の腕受けの周辺部の概念図である。
図４において、腕受け３は、弧状の腕受け３を持着可能な略弧状の支持部材１２と、この支持部材１２と腕受け３に介設される３個の弾性部としてのばね３２を介して第２のシャフト６に接続されている。
したがって、腕受け３に使用者の腕を密着させると、腕受け３には使用者の腕の方向から力がかかるので腕受け３は第２のシャフト６側に移動し、ばね３２はいずれも押縮して付勢される。そして、使用者が腕受け３に密着させた腕の力を少し抜いたり、わずかに腕受け３から腕を離脱させたりすると、付勢されたばね３２が伸長するので腕受け３は使用者の腕側に移動し、使用者は腕受け３が腕にフィットした感覚を得ることができる。
なお、設置するばね３４の個数は特に限定されるものではなく、また、ばね３４以外にも、例えば、ゴムやスポンジなど弾性を有する材料を設置することができる。
【００２２】
次に、ゴルフ練習器具を腕に装着した例について図５及び図６を参照しながら説明する。
図５（ａ）及び（ｂ）は、本実施の形態に係るゴルフ練習器具を腕に装着してパッティングを行う場合の概念図である。
図５（ａ）及び（ｂ）において、使用者１３は肘から手首までの腕にゴルフ練習器具１を装着しており、図５（ａ）は、使用者１３が、図示していないが、ゴルフボールを打つ前の姿勢であり、図５（ｂ）は、使用者１３がゴルフボールを打った後の姿勢である。このように、腕にゴルフ練習器具１を装着すると腕間の距離が固定されるので、ゴルフ練習器具１は、使用者１３が両肩、両肘及びグリップで形成される五角形を崩さないようにパッティングを行うことを補助し、ゴルフ練習器具１を肘から手首までの腕に装着して反復練習を行うことによって正しいフォームを体得することが可能である。
【００２３】
次に、図６（ａ）乃至（ｃ）は、本実施の形態に係るゴルフ練習器具を腕に装着してアプローチショットを行う場合の概念図である。
図６（ａ）乃至（ｃ）において、使用者１３は、図５の場合と同様に、肘から手首までの腕にゴルフ練習器具１を装着しており、２０ヤードや４０ヤードなど極短い距離のアプローチショットを行っているところである。使用者１３は、図６（ａ）でアイアン３３を振り上げて、図６（ｂ）でアイアン３３のフェースにゴルフボール（図示せず）をヒットさせて、図６（ｃ）でゴルフボールを打った後の姿勢をとっている。極短い距離を狙うアプローチショットでは、両肩と両腕で形成される三角形を保持してスイングすると良いので、ゴルフ練習器具１を装着することによって両腕の距離が固定され、この三角形を崩しにくい姿勢を保持することができる。したがって、パッティングの場合を同様に、ゴルフ練習器具１を装着して練習を重ねることによって、安定したフォームを習得することが可能である。
なお、図５及び図６においては、肘から手首までの腕にゴルフ練習器具１を装着した場合について実施例として説明したが、肩から肘までのいわゆる二の腕に長めの軸部４を備えたゴルフ練習器具１を装着してアプローチショットやパッティングの練習を実施してもよい。
【産業上の利用可能性】
【００２４】
以上説明したように、請求項１乃至請求項４に記載された本考案は、使い勝手が良好でパッティングやアプローチショット等のスイングにおいて正しいフォームを習得できるゴルフ練習器具を提供可能であり、個人の練習用やゴルフ練習場の設置用具として利用可能である。
【図面の簡単な説明】
【００２５】
【図１】本考案の本実施の形態に係るゴルフ練習器具の概念図である。
【図２】実施の形態に係るゴルフ練習器具を使用者の腕に装着した場合の概念図である。
【図３】（ａ）は実施の形態に係るゴルフ練習器具のアームバンドの外形図であり、（ｂ）は同じくゴルフ練習器具のアームベルトの外形図である。
【図４】実施の形態に係るゴルフ練習器具の腕受けの周辺部の概念図である。
【図５】（ａ）及び（ｂ）は実施の形態に係るゴルフ練習器具を腕に装着してパッティングを行う場合の概念図である。
【図６】（ａ）乃至（ｃ）は実施の形態に係るゴルフ練習器具を腕に装着してアプローチショットを行う場合の概念図である。
【符号の説明】
【００２６】
１…ゴルフ練習器具  ２，２ａ…アームバンド  ３…腕受け  ４…軸部  ５…第１のシャフト  ５ａ…第１のシャフトの端部  ６…第２のシャフト  ６ａ…第２のシャフトの端部  ７…長さ調整部  ８…溝  ９…第１の角度調整用ビス  １０…第２の角度調整用ビス  １１…支持部材  １２…支持部材  １３…使用者  １４…左腕  １５…右腕  １６…打ち出し方向  １７…パター  １８…右肘  １９…グリップの中心  ２０…左肘  ２１…右肩  ２２…左肩  ２３…五角形  ２４…直線  ２５…直線  ２６…アームベルト  ２７…バックル  ２８…オスバックル  ２９…固定用布地  ３０…メスバックル  ３１…固定用布地  ３２…ばね  ３３…アイアン  Ａ…面状ファスナー  θ…内角  α…アームバンドと第１のシャフトが形成する角度  β…腕受けと第２のシャフトが形成する角度
【図１】
0003125937.tif 000003
【図２】
0003125937.tif 000004
【図３】
0003125937.tif 000005
【図４】
0003125937.tif 000006
【図５】
0003125937.tif 000007
【図６】
0003125937.tif 000008